(57)【要約】【課題】木質素材を主材料として使用することのメリットを生かしつつ、強度が劣る角部を強化することにより、木質素材のデメリットをカバーした角部強化建具枠を提供する。【解決手段】壁４０に設けられた開口部３０に取り付けられる建具枠１である。建具枠１の縦枠２は、木質材料を基材とする縦枠本体３と、少なくとも縦枠本体３の角部３ｋに取り付けられて縦枠２の角部２ｋを構成する、縦枠本体３より硬い補強材５と、補強材５及び補強材５が装着された縦枠本体３の外部に露出する表面部分を覆う表面化粧シート１３とで構成される。【選択図】図１
2017210789.tif 000002
【特許請求の範囲】
【請求項１】
壁に設けられた開口部に取り付けられる建具枠であって、
建具枠の縦枠は、木質材料を基材とする縦枠本体と、
少なくとも縦枠本体の角部に取り付けられて縦枠の角部を構成する、縦枠本体より硬い補強材と、
補強材及び補強材が装着された縦枠本体の外部に露出する表面部分を覆う表面化粧シートとで構成されたことを特徴とする建具枠。
【請求項２】
補強材の縦枠本体の補強材取付部との接合端部が先端に行くほどその肉厚を漸減するテーパー状に削られており、前記接合端部が挿入される補強材取付部の接合部分にテーパー溝が形成され、前記テーパー溝に前記接合端部が嵌入接合されていることを特徴とする請求項１に記載の建具枠。
【請求項３】
補強材と縦枠本体との界面が面一に形成されていることを特徴とする請求項１又は２に記載の建具枠。
【発明の詳細な説明】
【技術分野】
【０００１】
本発明は、開口部に設置される建具枠の改良に関し、更に詳しくは、開口部の出入りの時や掃除の時など、車椅子や掃除器具などによって欠けたり傷が付いたりしやすい縦枠の角部を強化した建具枠に係る。
【背景技術】
【０００２】
開口部に設置される建具枠には木質製のものや金属製のものなどの素材が用いられている。木質素材（中密度繊維板や合板）を用いた場合、現場加工によるサイズの調整が容易であるため、設置現場における寸法誤差への対応が可能であるのに対して、建具枠全体に金属素材（アルミニウムやスチール）を用いた場合には現場での正確な加工が困難でありその対応が難しい。
【０００３】
また、化粧面では金属製枠材では、木質製枠材で一般的に行われているシートラッピングを適用することができず、専ら塗装で表面化粧がなされているが、シート化粧を施した引戸を当該開口部に取り付けた場合、表面化粧方法が異なるため引戸面と枠材とを同じ化粧とすることができず、看者に違和感を与える。また、使用中に塗装の一部が剥がれた場合では、きれいな補修が出来ず、剥がれた部分が露出して意匠性が劣化して行く。
【０００４】
しかしながら、衝撃に対する強度は木質素材に比べ金属製のものの方が高く、車椅子などでの出入りを行うことが多い高齢者施設においては金属製枠材が多く用いられたりするほか、特許文献１にあるように縦枠の下部に角部のみを上張りすることで傷への対応が行われている。
【先行技術文献】
【特許文献】
【０００５】
【特許文献１】特開平１１−１２８００６号公報
【発明の概要】
【発明が解決しようとする課題】
【０００６】
木質素材と金属製の枠材の衝撃に対する試験を行った処、枠材の平面における強度は木質素材と金属素材では大差がない半面、角部においては木質素材は金属素材に比べて欠けたり傷付き易く強度が劣ることが判明した。その結果から、木質素材を主材料として使用することのメリットを生かしつつ、強度が劣る角部を強化することにより、木質素材のデメリットをカバーした角部強化建具枠を提供することを本発明の解決課題とする。
【課題を解決するための手段】
【０００７】
請求項１に記載した発明は、
壁４０に設けられた開口部３０に取り付けられる建具枠１であって、
建具枠１の縦枠２は、木質材料を基材とする縦枠本体３と、
少なくとも縦枠本体３の角部３ｋに取り付けられて縦枠２の角部２ｋを構成する、縦枠本体３より硬い補強材５と、
補強材５及び補強材５が装着された縦枠本体３の外部に露出する表面部分を覆う表面化粧シート１３とで構成されたことを特徴とする。
【０００８】
上記建具枠１は、基本的に左右一対の縦枠２、上枠（鴨居）１０とで構成されるが、必要に応じて下枠（敷居）や引戸ガイド４５が更に設けられる。従って、下枠（敷居）や引戸ガイド４５が更に設けられた場合には、これらも建具枠１に含まれる。
【０００９】
請求項２に記載した発明は、請求項１に記載の建具枠１において、補強材５の縦枠本体３の補強材取付部３ａとの接合端部５ｇが先端に行くほどその肉厚を漸減するテーパー状に削られており、前記接合端部５ｇが挿入される補強材取付部３ａの接合部分にテーパー溝３ｇが形成され、前記テーパー溝３ｇに前記接合端部５ｇが嵌入接合されていることを特徴とする。
【００１０】
請求項３に記載した発明は、請求項１又は２に記載の建具枠１において、補強材５と縦枠本体３との界面が面一に形成されていることを特徴とする。
【発明の効果】
【００１１】
本発明によれば、木質系の縦枠本体３より硬い補強材５にて縦枠２の角部２ｋが構成されているので、たとえ該角部２ｋに車椅子や掃除器具が衝突したとしても角部２ｋが欠けるようなことがなく、長期間にわたって傷や欠けのない美しい外観を保つことができる。そして、補強材５及び縦枠本体３は引戸５０と同じ素材或いはこれに馴染むような素材の表面化粧シート１３によるラッピングが可能であるから、開口部３０の外観に対して看者に違和感を生じさせることがない。
【００１２】
加えて、補強材５の前記テーパー状の接合端部５ｇが縦枠本体３の接合部分に設けられたテーパー溝３ｇに前記接合端部５ｇが嵌入接合されているので、補強材５を縦枠本体３の補強材取付部３ａに取り付けた時にテーパー状の接合端部５ｇが縦枠本体３から浮き上がることがない。そして、補強材５と縦枠本体３との界面を面一に形成しておけば、ラッピングした時に表面化粧シート１３に両者の接合ラインが現れず、美しい外観を呈することになる。
【図面の簡単な説明】
【００１３】
【図１】本発明の建具枠の施工状態の平断面図である。
【図２】図１の正面図である。
【図３】本発明の建具枠の第１実施例の部分断面図である。
【図４】本発明の建具枠の第２実施例の部分断面図である。
【図５】本発明の建具枠の第３実施例の部分断面図である。
【図６】本発明の建具枠の第４実施例の部分断面図である。
【発明を実施するための形態】
【００１４】
以下、本発明を図示実施例に従って説明する。本発明の建具枠１は、壁４０に設けられた開口部３０に取り付けられる引戸５０用の枠材（勿論、引戸５０用に限られず、開閉扉用であってもよい。）であって、開口部３０の縦内側面に取り付けられる左右一対の縦枠２、開口部３０の上水平内面に取り付けられて縦枠２の上端に架設される上枠（鴨居）１０とで構成される。下枠（敷居）は必要に応じて設けられ、本実施例では省略されている。また、引戸側の縦枠３ｈには必要に応じて引戸ガイド４５が引戸側の縦枠３ｈの付属品として設けられる。図１の実施例では引戸ガイド４５が設けられている例である。
【００１５】
縦枠２は、木質材料（例えば、中密度繊維板や合板或いは無垢木材）を基材とする縦枠本体３と、縦枠本体３より硬い樹脂製或いは金属薄板製の補強材５及び表面化粧シート１３で構成されている。
【００１６】
縦枠本体３は横断面四角形で、戸当たり側の縦枠本体３ｔと引戸側の縦枠本体３ｈとがあり、戸当たり側の縦枠本体３ｔの戸当たり側の面３ｄに１乃至２の戸当たり溝３ｍが長手方向全長に亘って形成されている。
引戸側の縦枠本体３ｈは前面側部材３ｈ１と背面側部材３ｈ２とで構成され、両部材間に引戸用間隙３ｓが設けられている。
【００１７】
縦枠本体３には、図３〜６に例示するように、補強材５に合わせて補強材５が取り付けられる又は嵌め込まれる補強材取付部３ａが設けられている。補強材取付部３ａは縦枠本体３の全長に設けてもよいし、掃除器具や車椅子が衝突する開口部３０の下部に相当する部分（縦枠本体３の下部）に設けてもよい。本実施例では全長に設けられている場合を示す。
なお、図３〜６は戸当たり側の縦枠本体３ｔだけが示されているが、引戸側の縦枠本体３ｈにも同様に適用される。
【００１８】
補強材取付部３ａの実施例は、図３に示すように、縦枠本体３の戸当たり側の面３ｄに直交する面（この面を直交面３ｆとする。）が補強材５の厚みだけ切落され、或いは補強材５の厚みだけ横幅の狭い部材が使用され、この直交面３ｆ全体が補強材取付部３ａとなっている。
図４では縦枠本体３の戸当たり側の面３ｄに直交する直交面３ｆ全体と、戸当たり側の面３ｄ及びその背面（この面を壁接合面３ｅとする。）で、該直交面３ｆに隣接する部分がコ字状に削り取られている例である。
図５は直交面３ｆの中央にて縦枠本体３の長手方向全長に亘って凸条３ｐが残るように縦枠本体３の角部３ｋがＬ形に切り取られている例である。
図６は図４の補強材取付部３ａの先端部分が先に行くほどその厚みが漸減する横断面直角三角形の溝状に削り取られ、テーパー溝３ｇがこの部分に形成されている例である。そして、テーパー溝３ｇの形成部分にはテーパー溝３ｇを覆う横断面直角三角形の接合端部３ｂが形成されている。
上記断面形状は戸当たり側の縦枠３ｔのみならず引戸側の縦枠３ｈの開口側の角、引戸ガイド４５や図示しないが下枠（敷居）の上面の２つの角にも適用される。
【００１９】
補強材５の材質は、縦枠本体３より硬度の高い、例えば、樹脂材（ＡＢＳ樹脂、硬質塩化ビニル樹脂、発泡ＡＢＳ樹脂、発泡硬質塩化ビニル樹脂）、樹脂含浸単板或いは現場加工が可能は厚み及び材質の金属薄板（アルミニウム薄板やスチール薄板）などが用いられる。
【００２０】
補強材５の形状は、図３の場合、補強材５が縦枠本体３の直交面３ｆ全体に貼着された例で、縦枠本体３の厚み（戸当たり側の面３ｄからその背面である壁接合面３ｅまでの厚み）に等しい幅で、補強材５の直交面３ｆへの貼着面の反対側の両角部（縦枠２の角部２ｋとなる部分）が横断面円弧状に形成されている。補強材５の直交面３ｆへの貼着状態では、縦枠本体３の戸当たり側の面３ｄと補強材５の該面３ｄに隣接する面、及び、壁接合面３ｅとこの面に隣接する補強材５の面とが面一になるように貼着される。この点は、後述する図４〜６でも同じであり、従って、面一仕上げは引戸側の縦枠３ｈ、引戸ガイド４５及び下枠（敷居）にも適用される。
【００２１】
図４では補強材５の形状は、縦枠本体３のコ字形の補強材取付部３ａに合致した横断面コ字形に形成された部材で、図５ではＬ形の補強材取付部３ａに合致した横断面Ｌ形に形成された部材で、いずれも角部（縦枠２の角部２ｋとなる部分）は横断面円弧状に形成されている。なお、図５に於いて、凸条３ｐの表面とこれに隣接するＬ形の補強材取付部３ａの該面に隣接する面も前述同様面一になるように貼着される。
【００２２】
図６は図４のコ字状補強材取付部３ａの先端部である接合端部５ｇが先端に行くほどその肉厚を漸減するテーパー状に削られて、当該部分が横断面直角三角形を形成され、この接合端部５ｇがテーパー溝３ｇに差し込まれた状態で固着された例である。そして、横断面直角三角形の接合端部３ｂがテーパー溝３ｇに差し込まれたコ字形の強材取付部３ａの先端部である接合端部５ｇ全体を覆っている。
以上のようにして縦枠２に４角は補強材５によって強化されており、両者の界面は上記のように面一に形成されている。
【００２３】
表面化粧シート１３は、補強材５及び補強材５が装着された縦枠本体３、補強材５及び補強材５が装着された引戸ガイド４５、（更には、図示しない下枠（敷居））の外部に露出する表面部分を覆うもので、通常、引戸５０の表面に貼着される表面化粧シートと同じものが用いられる。勿論、違和感がなければ異なるものを用いることは可能である。
図１の実施例では戸当たり側の縦枠本体３ｔにあっては、その戸当たり溝３ｍを含む戸当たり側の面３ｄ、補強材５の外周面全面及び壁接合面３ｅの壁４０の内側までラッピングされる。
引戸側の縦枠本体３ｈにあっては、開口部側の面３ｉ、補強材５の外周面全面及び壁接合面３ｅの壁４０の内側までラッピングされる。
引戸ガイド４５を設ける場合は、その外部露出面及びその隣接面の内側までラッピングされる。
【００２４】
補強材５と縦枠本体３の界面は上記のように面一に形成され、且つ、つなぎ目が目立たないように当該部分にシーラー塗布が施されており、その上から前記表面化粧シート１３を貼り付けるので、外部には両者の界面は現れない。
【００２５】
このように構成された縦枠２及び上枠１０を開口部３０に設置するが、縦枠２及び上枠１０は現場施工が可能な木質材と樹脂材或いは金属薄板で形成されているため、現場でサイズ合わせの現合が出来る。
引戸側の壁４０内には戸袋４２が形成されており、引戸５０が収納できるようになっている。戸袋４２内にはゴム製のストッパ４７が設けられており、引戸５０の引き込み量の決定と引き込み時の衝撃を殺し、ソフトタッチを実現する。
また、引戸側の縦枠２の開口部側の面３ｉには引戸用隙間３ｓに合わせて前後一対の引戸ガイド４５が取り付けられており、更に引戸ガイド４５の対向内面の開口近傍にはその全長に引戸５０の表裏面に摺接して引戸５０の開閉時の指の巻き込みを防ぐブラシ４６が設置されている。なお、引戸５０の表裏両面には取っ手５２が取り付けてある。
【００２６】
このように開口部３０に設置された縦枠２は、図１のように左右両縦枠２の前後４つの角部２ｋが壁４０の表面より外側に突出する。この状態で、例えば車椅子の居住者が引戸５０を開いて出入りすると車椅子の車軸が縦枠２の角部２ｋに強く接触することがある。掃除の時も同様で、掃除器具が同角部２ｋに強く接触することがある。
縦枠２の角部２ｋの内部は硬い補強材５が嵌め込まれているので、これらによって角部２ｋが削り取られるようなことはない。仮に、表面化粧シート１３が傷付けられたり破れることがあっても表面化粧シート１３は補強材５に強力に接着されているため、僅かな目立たない傷で済み、外観を大きく損なわない。
【符号の説明】
【００２７】
１：建具枠、２：縦枠、２ｋ：縦枠の角部、３：縦枠本体、３ａ：補強材取付部、３ｂ：接合端部、３ｄ：戸当たり側の面、３ｅ：壁接合面、３ｆ：直交面、３ｇ：テーパー溝、３ｈ：引戸側の縦枠本体、３ｈ１：前面側部材、３ｈ２：背面側部材、３ｉ：開口部側の面、３ｋ：縦枠本体の角部、３ｍ：戸当たり溝、３ｐ：凸条、３ｓ：引戸用間隙、３ｔ：戸当たり側の縦枠本体、５：補強材、５ｇ：接合端部、１０：上枠、１３：表面化粧シート、３０：開口部、４０：壁、４２：戸袋、４５：引戸ガイド、４６：ブラシ、４７：ストッパ、５０：引戸、５２：取っ手。
【図１】
2017210789.tif 000003
【図２】
2017210789.tif 000004
【図３】
2017210789.tif 000005
【図４】
2017210789.tif 000006
【図５】
2017210789.tif 000007
【図６】
2017210789.tif 000008